(57)【要約】      （修正有）【課題】比較的コストを上げることなく確実なチャイルドロックをすることができ、かつ、チャイルドロックの設定解除操作が煩わしくないコンロ装置を提供する。【解決手段】ガスバーナ１１を備えたコンロ装置１であって、このコンロ装置に設けられた点火操作部１２を操作すると、少なくともガスバーナと点火プラグとの間で火花放電をさせてガスバーナの点火動作を行う制御部を内蔵したものにおいて、コンロ装置１とは別体として携帯できる携帯端末２との間で無線通信を行う通信手段を設け、この携帯端末からチャイルドロック操作がされると、制御部は点火操作部が操作されても点火動作を行わない。【選択図】図１
2016194398.tif 000002
【特許請求の範囲】
【請求項１】
ガスバーナを備えたコンロ装置であって、このコンロ装置に設けられた点火操作部を操作すると、少なくともガスバーナと点火プラグとの間で火花放電をさせてガスバーナの点火動作を行う制御部を内蔵したものにおいて、この制御部に、コンロ装置とは別体として携帯できる携帯端末との間で無線通信を行う通信手段を設け、この携帯端末からチャイルドロック操作がされると、上記制御部は上記点火操作部が操作されても上記点火動作を行わないことを特徴とするコンロ装置。
【請求項２】
上記通信手段は複数個の携帯端末との間で通信が可能であり、これら複数の携帯端末の内のいずれかでチャイルドロック操作がされた場合、他の携帯端末で点火動作を行わない状態を解除できることを特徴とする請求項１に記載のコンロ装置。
【請求項３】
コンロ装置を中心とする所定の解除範囲を設定しておき、チャイルドロック操作がされた状態であって、この解除範囲内にいずれの携帯端末も存在しない状態から、いずれかの携帯端末が上記解除範囲内に入った場合に、チャイルドロック状態を自動的に解除し、かつ、チャイルドロック状態を解除する操作がされないまますべての携帯端末が上記解除範囲外に移動した時点で、自動的に再びチャイルドロック状態に戻ることを特徴とする請求項１または請求項２に記載のコンロ装置。
【請求項４】
上記コンロ装置にはチャイルドロック機能とは関係のない操作ボタンが設けられており、その操作ボタンに対して隠し操作をすることにより、上記携帯端末によって設定された点火動作を行わない状態を解除することができることを特徴とする請求項１から請求項３のいずれかに記載のコンロ装置。
【請求項５】
上記点火動作を行わない状態中に点火操作が行われると、その旨を上記制御部は記憶し、その後通信可能となった携帯端末にその旨を報知することを特徴とする請求項１から請求項４のいずれかに記載のコンロ装置。
【発明の詳細な説明】
【技術分野】
【０００１】
本発明は、ガスバーナを備えたコンロ装置であって、点火操作がされてもガスバーナへの点火を行わないチャイルドロック機能を備えたものに関する。
【背景技術】
【０００２】
このようなコンロ装置では、点火ボタンなどの点火操作部が設けられており、その点火操作部を押し操作するなどの比較的簡単な操作でガスバーナに点火することができる。そのため、例えば子供が監督者に無断でガスバーナに点火することが可能である。そのため、点火ボタンであれば、点火ボタンの裏側に障害物をスライドさせて、点火ボタンが押し込めないように物理的に阻止するチャイルドロック機構が従来より設けられている。
【０００３】
ところが、子供であってもそのチャイルドロック機構を元に戻すことができ、簡単にチャイルドロックが解除されてガスバーナが点火されるおそれがあった。そのため、コンロ装置に指紋認証機能を持たせ、指紋を登録した監督者のみがチャイルドロックを解除できるようにしたものが知られている（例えば、特許文献１参照）。
【先行技術文献】
【特許文献】
【０００４】
【特許文献１】特開２００３−３２２３４０号公報（請求項２、段落００１６）
【発明の概要】
【発明が解決しようとする課題】
【０００５】
上記従来の指紋認証によってチャイルドロックを解除するものでは、コンロ装置に指紋認証装置を付加しなければならないため、コンロ装置の価格が高くなるという不具合がある。また、指紋認証した監督者が実際にコンロ装置の設置場所まで赴いて指紋認証部に指を押し当てなければ、チャイルドロックを設定したり解除することができないので、設定解除作業が煩わしいという不具合もある。
【０００６】
そこで本発明は、上記の問題点に鑑み、比較的コストを上げることなく確実なチャイルドロックをすることができ、かつ、チャイルドロックの設定解除操作が煩わしくないコンロ装置を提供することを課題とする。
【課題を解決するための手段】
【０００７】
上記課題を解決するために本発明によるコンロ装置は、ガスバーナを備えたコンロ装置であって、このコンロ装置に設けられた点火操作部を操作すると、少なくともガスバーナと点火プラグとの間で火花放電をさせてガスバーナの点火動作を行う制御部を内蔵したものにおいて、この制御部に、コンロ装置とは別体として携帯できる携帯端末との間で無線通信を行う通信手段を設け、この携帯端末からチャイルドロック操作がされると、上記制御部は上記点火操作部が操作されても上記点火動作を行わないことを特徴とする。
【０００８】
コンロ装置との間で無線通信を行う携帯端末からチャイルドロックの設定解除操作を行うことにより、実際に監督者がコンロ装置の設置場所まで赴く必要がない。
【０００９】
なお、上記通信手段は複数個の携帯端末との間で通信が可能であり、これら複数の携帯端末の内のいずれかでチャイルドロック操作がされた場合、他の携帯端末で点火動作を行わない状態を解除できるようにすることが望ましい。
【００１０】
一旦チャイルドロックを設定すると、解除する操作が煩わしい場合が生じる。その場合には、コンロ装置を中心とする所定の解除範囲を設定しておき、チャイルドロック操作がされた状態であって、この解除範囲内にいずれの携帯端末も存在しない状態から、いずれかの携帯端末が上記解除範囲内に入った場合に、チャイルドロック状態を自動的に解除するようにしてもよい。ただし、解除されたことを意識しない場合に、そのままチャイルドロック状態が解除されたままにすることは望ましくない。そこで、このように自動的にチャイルドロックを解除するように構成した場合には、チャイルドロック状態を解除する操作がされないまますべての携帯端末が上記解除範囲外に移動した時点で、自動的に再びチャイルドロック状態に戻ることが望ましい。
【００１１】
また、上記コンロ装置にはチャイルドロック機能とは関係のない操作ボタンが設けられており、その操作ボタンに対して隠し操作をすることにより、上記携帯端末によって設定された点火動作を行わない状態を解除することができるようにすることが望ましい。
【００１２】
さらに、上記点火動作を行わない状態中に点火操作が行われると、その旨を上記制御部は記憶し、その後通信可能となった携帯端末にその旨を報知するようにしてもよい。
【発明の効果】
【００１３】
以上の説明から明らかなように、本発明は、コンロ装置のチャイルドロックをコンロ装置とは別体の携帯端末によって行うので、コンロ装置には携帯端末との通信機能のみを付加するだけでよく、また、監督者はコンロ装置の設置位置まで赴くことなくチャイルドロックを作動解除することができる。
【図面の簡単な説明】
【００１４】
【図１】本発明によるコンロ装置と携帯端末とを示す図
【図２】チャイルドロック動作を示すフロー図
【図３】コンロ装置を中心とする通信範囲を示す図
【発明を実施するための形態】
【００１５】
図１を参照して、１は本発明によるコンロ装置の一例である。このコンロ装置１の上面には左右に各１個のガスバーナ１１が設けられており、これらガスバーナに点火する際には点消火ボタン１２を押し込む。
【００１６】
点消火ボタン１２が押し込まれたことは図示しないマイクロスイッチによって検知され、同じく図示しない制御部は、点消火ボタン１２が押し込まれると、ガスバーナ１１の近傍に設けられている点火プラグに高圧電力を供給して、点火プラグとガスバーナ１１との間で火花放電を生じさせる。
【００１７】
一方、本実施の形態でのコンロ装置１では、点消火ボタン１２が押し込まれると、その押し込み力によってガス弁が開弁され、ガスバーナ１１にガスが供給されるように構成されている。上述のように点火プラグとの間で火花放電が生じている状態でガスバーナ１１からガスが噴出すると、その噴出したガスに火花放電によって着火され、ガスバーナ１１は燃焼状態になる。
【００１８】
このように、点消火ボタン１２を押し込むという単純な操作によってガスバーナ１１に点火することができるので、子供などが悪戯で点消火ボタン１２を押し込んでガスバーナ１１に点火しないように、チャイルドロックレバー１３が従来より設けられている。
【００１９】
このチャイルドロックレバー１３を横方向にスライドすると、点消火ボタン１２の裏側に障害物が移動し、点消火ボタン１２を押し込もうとしても、その障害物が邪魔となって、点消火ボタン１２が物理的に押し込めない状態になる。ところが、このようなチャイルドロックレバー１３は子供であっても容易に解除することができるので、子供による不用意な点火を確実に防止することができないおそれがある。
【００２０】
そこで、本発明では、上記制御部に、外部の携帯端末２との間で無線による双方向通信が可能な通信機能を付加した。この無線による通信は、例えばブルートゥース（登録商標）規格による通信方式を採用することができる。なお、携帯端末２としてはスマートフォン２１にチャイルドロック用のアプリケーションをインストールして使用してもよく、あるいは、チャイルドロックの設定および解除専用の携帯端末２２を用いてもよい。そして、これらの携帯端末２はコンロ装置１に登録して使用する。
【００２１】
図２を参照して、本実施の形態では最初に携帯端末２をコンロ装置１に対して登録し（Ｓ１）、その後に登録された携帯端末２でチャイルドロックを作動させるようにしたが（Ｓ２）、コンロ装置１に別途チャイルドロック作動用のスイッチを設け、解除を携帯端末２で行うようにしてもよい。
【００２２】
チャイルドロックが作動すると、最初にメモリをリセットする（Ｓ４）。チャイルドロックが解除されるまでの間、すなわちチャイルドロックが作動している状態で点火操作がされると（Ｓ５）、その時点でコンロ装置１を中心とする通信圏内に携帯端末２が存在していれば、点火操作がされた旨を通信圏内のすべての携帯端末２に報知する（Ｓ７）。この報知を受信すると、携帯端末２を携帯している監督者はコンロ装置１の設置場所に赴いてコンロ装置１をチェックすることができる。
【００２３】
一方、点火操作がされた時点でいずれの携帯端末２も通信圏内に存在しない場合には、上記メモリに、点火操作がされたことを書き込んでおく。そして、チャイルドロックが解除された際に（Ｓ９）、メモリに格納されている点火操作がされた旨を携帯端末２に表示させる（Ｓ９）。
【００２４】
ところで、上記の説明ではチャイルドロックの作動は携帯端末２もしくはコンロ装置１に設けたスイッチで行うようにして、チャイルドロックの解除は携帯端末２のみで行うようにした。ただし、コンロ装置１に設けた既存のスイッチなどを用いて、子供には操作不能な隠し操作を行うことによって、チャイルドロックを携帯端末２を用いずに解除できるようにしてもよい。
【００２５】
上記実施の形態では、チャイルドロックの解除は携帯端末２に対する操作かコンロ装置に対する隠し操作かで行ったが、自動的にチャイルドロックを解除するように構成してもよい。
【００２６】
具体的には、図３に示すように、コンロ装置１と携帯端末２との間で通信が可能な通信範囲Ｅ１の内側に、解除範囲Ｅ２を設定しておく。そして、上記図２のＳ６、Ｓ７に示したように、通信範囲Ｅ１の外から携帯端末１が通信範囲Ｅ１内に入り（Ａ点）、さらに通信端末２が解除範囲Ｅ２内に入ると（Ｂ点）、コンロ装置１側に自動的にチャイルドロックを解除する。すると、手動操作によってチャイルドロックを解除しなくても、携帯端末２を所持している者はコンロ装置１を使用することができる。なお、解除範囲Ｅ２内に入ったことの判別は、例えば無線の電界強度の強さで距離を判別すればよい。
【００２７】
ただし、コンロ装置１の使用を意図することなく、偶然解除範囲Ｅ２内に携帯端末２が入った場合に、チャイルドロックを解除したままにすることは望ましくない。そこで、手動操作によってチャイルドロックを解除することなく携帯端末２が再び禁止範囲Ｅ２外に出ると（Ｃ点）、コンロ装置１は自動的にチャイルドロック状態に復帰するようにする。
【００２８】
なお、本発明は上記した形態に限定されるものではなく、本発明の要旨を逸脱しない範囲内において種々の変更を加えてもかまわない。
【符号の説明】
【００２９】
１ コンロ装置
２ 携帯端末
１１ ガスバーナ
１２ 点消火ボタン
１３ チャイルドロックレバー
【図１】
2016194398.tif 000003
【図２】
2016194398.tif 000004
【図３】
2016194398.tif 000005